(57)【要約】【課題】組み立てやメンテナンスに対する作業性が良く、且つ、発音体の振動を持続させて良い音質の音を出すことができる打楽器を提供する。【解決手段】発音体３０を音高順に並べ、発音体３０に設けられている貫通穴に支持紐４４を通す。支持紐４４は、極細の繊維が絡合した不織布を表面に備えている。発音体３０に通された支持紐４４において発音体３０の貫通穴の外部にある部分は、共鳴箱５０の下面において間隔をあけて設けられた複数の留め具４０で支持される。【選択図】図７
2008170698.tif 000002
【特許請求の範囲】
【請求項１】
互いに向かい合う側面を有する柱体形状であって、一方の側面から該側面に対向するもう一方の側面に貫通する貫通穴を有し、打撃により固有の音高の音を発する複数の発音体と、
前記複数の発音体の各貫通穴に通された紐であって、内部に芯糸を有し、繊維が絡合した不織布を表面に有する支持紐と、
前記支持紐において前記発音体の貫通穴の外部にある部分を支持する複数の留め具と
を有する打楽器。
【請求項２】
前記支持紐は、繊維が絡合した紐状の不織布が前記芯糸に螺旋状に巻きつけられていることを特徴とする請求項１に記載の打楽器。
【請求項３】
前記支持紐は、繊維が絡合した複数の紐状の不織布が前記芯糸を覆って編まれていることを特徴とする請求項１に記載の打楽器。
【請求項４】
前記支持紐の長手方向に直行する方向の断面形状が略円形であることを特徴とする請求項１乃至３のいずれかに記載の打楽器。
【請求項５】
前記支持紐の直径と、前記貫通穴の内径との比が所定の比であることを特徴とする請求項１乃至４のいずれかに記載の打楽器。
【請求項６】
互いに向かい合う側面を有する柱体形状であって、一方の側面から該側面に対向するもう一方の側面に貫通する貫通穴を有し、打撃により固有の音高の音を発する複数の発音体と、
前記複数の発音体の各貫通穴に通された紐であって、内部に芯糸を有し、繊維が絡合した不織布を表面に有する支持紐と、
前記支持紐において前記発音体の貫通穴の外部にある部分を支持する複数の留め具と、
前記複数の発音体毎に発音体に対応して配置された鍵と、
複数の前記鍵毎に鍵に対応して配置され、対応する鍵の動きに応じて該鍵に対応する前記発音体を打撃するアクション機構と、
前記発音体から生じた音を共鳴させる共鳴箱と
を有する鍵盤式打楽器。
【発明の詳細な説明】
【技術分野】
【０００１】
本発明は、発音体を打撃することにより発音する打楽器に関する。
【背景技術】
【０００２】
複数の鍵、各鍵に対応するハンマアクション、および各ハンマアクションにより打撃される音板（発音体）を備えた鍵盤式音板打楽器が知られている（例えば、特許文献１参照）。この鍵盤式音板打楽器においては、演奏者が鍵を押鍵するとハンマアクションが動作して音板を打撃し、音板が振動して音板固有の音高の楽音が発生する。
【０００３】
【特許文献１】実開平０５−０８１８９５号公報
【発明の開示】
【発明が解決しようとする課題】
【０００４】
特許文献１に開示された鍵盤式音板打楽器においては、各鍵に対応して長さや幅の異なる短冊状の音板が、振動可能となるようにピンで支持されて水平に並べられている。このように音板をピンで支持する構成は古くからあり、音板の振動を持続させて良い音質の音を出すことができる。しかしながら、音板をピンで支持する構成では音板を支持するために音板毎にピンを用意する必要があるため部品数が多くなり、組み立てやメンテナンスの観点からすると作業性が良くない。そこで、組み立てやメンテナンスに対する作業性が良く、且つ、音板の振動を持続させて良い音質の音を出すことができる構成が求められていた。
【０００５】
本発明は、上述した背景の下になされたものであり、その目的は、組み立てやメンテナンスに対する作業性が良く、且つ、発音体の振動を持続させて良い音質の音を出すことができる打楽器を提供することにある。
【課題を解決するための手段】
【０００６】
上述した課題を解決するために本発明は、互いに向かい合う側面を有する柱体形状であって、一方の側面から該側面に対向するもう一方の側面に貫通する貫通穴を有し、打撃により固有の音高の音を発する複数の発音体と、前記複数の発音体の各貫通穴に通された紐であって、内部に芯糸を有し、繊維が絡合した不織布を表面に有する支持紐と、前記支持紐において前記発音体の貫通穴の外部にある部分を支持する複数の留め具とを有する打楽器を提供する。
【０００７】
好ましい態様において、前記支持紐は、繊維が絡合した紐状の不織布が前記芯糸に螺旋状に巻きつけられていてもよい。
また、別の好ましい態様において、前記支持紐は、繊維が絡合した複数の紐状の不織布が前記芯糸を覆って編まれていてもよい。
また、別の好ましい態様において、前記支持紐の長手方向に直行する方向の断面形状が略円形であってもよい。
また、別の好ましい態様において、前記支持紐の直径と、前記貫通穴の内径との比が所定の比であってもよい。
【０００８】
また、本発明は、互いに向かい合う側面を有する柱体形状であって、一方の側面から該側面に対向するもう一方の側面に貫通する貫通穴を有し、打撃により固有の音高の音を発する複数の発音体と、前記複数の発音体の各貫通穴に通された紐であって、内部に芯糸を有し、繊維が絡合した不織布を表面に有する支持紐と、前記支持紐において前記発音体の貫通穴の外部にある部分を支持する複数の留め具と、前記複数の発音体毎に発音体に対応して配置された鍵と、複数の前記鍵毎に鍵に対応して配置され、対応する鍵の動きに応じて該鍵に対応する前記発音体を打撃するアクション機構と、前記発音体から生じた音を共鳴させる共鳴箱とを有する鍵盤式打楽器を提供する。
【発明の効果】
【０００９】
本発明によれば、打楽器は、組み立てやメンテナンスに対する作業性が良く、且つ、発音体の振動を持続させて良い音質の音を出すことができる。
【発明を実施するための最良の形態】
【００１０】
［実施形態］
以下、図面を参照して本発明の実施の形態に係る鍵盤式打楽器について説明する。図１（ａ）は本発明の実施形態に係る鍵盤式打楽器１０の左側面図、図１（ｂ）は鍵盤式打楽器１０の正面図、図１（ｃ）は鍵盤式打楽器１０の右側面図である。以下の説明においては、鍵盤式打楽器１０の演奏者側を前方と称し、演奏者から鍵盤式打楽器１０を見て右側を右方向、演奏者から見て左側を左方向と称する。
【００１１】
（鍵盤式打楽器１０の概要）
まず、この鍵盤式打楽器１０の概要について説明する。この鍵盤式打楽器１０は金属製の発音体を打撃して発音体を振動させることにより音を発生する楽器であり、図１（ｂ）に示したように、複数の白鍵及び黒鍵を有する鍵盤ＫＢと、演奏者の足で操作されるダンパペダル１２とを備えている。演奏者により鍵盤ＫＢの鍵が下方に押されると、各鍵に対応して内部に配置されている発音体が打撃されて音が発生する。また、ダンパペダル１２は発音体の振動を制御するためのペダルである。演奏者がダンパペダル１２を踏むと、演奏者が鍵から指を離しても発音体の振動が抑えられることがない。このため、ダンパペダルが踏まれると、ダンパペダル１２が踏まれていない状態と比較して、発音体が打撃されたときの音の発音時間が長くなる。
【００１２】
（鍵盤式打楽器１０の内部構成）
次に、鍵盤式打楽器１０の内部構成について説明する。図２は鍵盤式打楽器１０の上部の概略図、図３は鍵盤式打楽器１０の上部の内部を前方から見た図、図４は鍵盤式打楽器１０の内部の平面図である。図に示したように、鍵盤式打楽器１０内の上部には、鍵盤ＫＢの各鍵に対応して設けられて音を発生する発音体３０と、発音体３０で発生した音を共鳴させる共鳴箱５０とを有する音源ユニットＵＮＴが配置されている。また、鍵盤式打楽器１０の内部においては、発音体３０を打撃するアクション機構２０と、発音体３０の振動を制御するダンパ機構Ｄが音源ユニットＵＮＴより下方に配置されている。
【００１３】
（音源ユニットＵＮＴの下方の構成）
まず、音源ユニットＵＮＴの下方にある各部について説明する。図に示したように、鍵盤式打楽器１０の両側面を形成する右側板１８Ｒと左側板１８Ｌとの間には、共鳴箱５０から下方に出た音が通過する放音用穴１４ａを有する棚板１４が水平に配置されている。棚板１４の上には筬１５が配置されており、筬１５の前方には筬前１６が設けられ、筬前１６の前部を口棒部１７が覆っている。筬１５においては、鍵盤ＫＢが有する複数の白鍵２７及び黒鍵２８の各々に対応して支持部材１９が配置されている。支持部材１９は白鍵２７及び黒鍵２８を支持するための部材であり、バランスピン６２，６３を備えている。鍵盤ＫＢの各鍵は支持部材１９により支持され、各鍵の長手方向端部はバランスピン６２，６３を支点として上下する。
【００１４】
また、筬１５においては、アクション機構２０を支持するアクションブラケット２２が、複数の鍵の各々に対応して配置されている。アクション機構２０は、グランドピアノにおいて弦を打弦するアクション機構と同様の構成であり、鍵盤ＫＢの鍵の動きに対応して支点Ｐ１を中心に時計方向または反時計方向に回動するハンマシャンク２３と、ハンマシャンク２３の先端に設けられ発音体３０を打撃するハンマフェルト２４を有している。
【００１５】
鍵盤式打楽器１０の後方側においては、鍵盤ＫＢの各鍵に対応して棚板１４の上方に回動部材６４が配置されている。回動部材６４には、ダンパフェルト２６を備えたダンパワイヤ２５が取り付けられており、鍵の動きに対応して図２中の支点Ｐ２を中心に時計方向または反時計方向に回動する。
【００１６】
また、鍵盤式打楽器１０の後方側においては、回動部材６４の下方に突き上げ部材６５が配置されている。突き上げ部材６５はダンパペダル１２に連結されているペダル連結棒１３に接しており、ペダル連結棒１３の上下動に伴って上下する。突き上げ部材６５は、各鍵に対応して設けられている回動部材６４の全てに接しているため、ペダル連結棒１３の上下動に伴って全ての回動部材６４を回動させる。
【００１７】
この構成の下、鍵盤ＫＢの鍵が演奏者により下方に押されると、鍵の後方側端部が上に移動し、回動部材６４が図２においては時計回りに回動する。ダンパペダル１２が踏まれておらず鍵盤ＫＢの鍵が押されていない状態においては、ダンパフェルト２６は図２に示したように発音体３０に接触しているが、回動部材６４が時計回りに回動すると回動に伴ってダンパワイヤ２５が上方向へ移動してダンパフェルト２６が発音体３０から離れる。また、鍵が下方に押されると、アクション機構２０が動作してハンマシャンク２３が反時計回りに回動し、ハンマフェルト２４が発音体３０を打撃する。ハンマフェルト２４が発音体３０を打撃する時点では、ダンパフェルト２６が発音体３０から離れているので発音体３０は振動する。
【００１８】
次に、演奏者が鍵から指を離すと、鍵の後方側端部が下に移動し、アクション機構２０が動作してハンマシャンク２３が時計回りに回動してハンマフェルト２４が発音体３０から離れる方向に移動する。そして、鍵の後方側端部の移動に伴って回動部材６４が反時計回りに回動する。回動部材６４が反時計回りに回動すると、回動部材６４の回動に伴ってダンパワイヤ２５が下方向へ移動し、ダンパフェルト２６が発音体３０に接触して発音体３０の振動が抑えられる。
【００１９】
なお、ダンパペダル１２が踏まれるとペダル連結棒１３が上方向に移動し、突き上げ部材６５が全ての回動部材６４を時計方向に回動させる。回動部材６４が支点Ｐ２を中心にして時計方向に回動すると、回動に伴ってダンパワイヤ２５が移動し、全てのダンパフェルト２６が発音体３０から離れる。ダンパペダル１２が踏まれて回動部材６４が時計回りに回動すると、鍵の後方側端部が回動部材６４に接触しなくなるため、演奏者が鍵から指を離しても発音体３０の振動がダンパフェルト２６により抑えられることがない。
【００２０】
（音源ユニットＵＮＴの構成）
次に、音源ユニットＵＮＴの構成について説明する。図５は音源ユニットＵＮＴの正面図、図６は図５のＡ−Ａ線断面図、図７は音源ユニットＵ１の底面図である。図に示したように、音源ユニットＵＮＴは、鍵盤ＫＢの各鍵に対応して設けられている複数の発音体３０と、発音体３０を打撃することにより生じた音を共鳴させる共鳴箱５０を有している。そして、音源ユニットＵＮＴにおいては、共鳴箱５０の両端部の下面が、右側板１８Ｒから鍵盤式打楽器１０の内部へ突出した支持部２９Ｒと左側板１８Ｌから鍵盤式打楽器１０の内部へ突出した支持部２９Ｌにより支持されている。本実施形態においては、鍵盤ＫＢの鍵が並ぶ方向に沿って音高順に発音体３０が共鳴箱５０の下方に配置されており、演奏者から見て左端にある発音体３０の発する音が一番音高が低く、右端にある発音体３０の発する音が一番音高が高くなるように発音体３０が配置されている。なお、本実施形態においては、発音体３０は上下二段ではなく一段に配置されており、各発音体３０を打撃するアクション機構２０も鍵盤ＫＢの鍵が並ぶ方向に沿って一段に並べられている。
【００２１】
（発音体３０の構成）
発音体３０は、アルミニウムで形成されている。なお、発音体３０の材質は、アルミニウムに限定されるものではなく、例えば、アルミニウム合金、または鋼など他の金属で形成されていてもよい。各鍵に対応して設けられている複数の発音体３０は、その長さ、幅および形状が各々異なっており、ハンマフェルト２４によって打撃されて振動すると、その振動の態様が各々異なり、各発音体固有の音高の音が生じる。
【００２２】
具体的には、複数の発音体３０は、図７に示したように高音域に属する発音体群３０Ａ、中音域に属する発音体群３０Ｂ、低音域に属する発音体群３０Ｃに大別される。発音体群３０Ａに属する発音体３０は長手方向（前後方向）の長さが短く、発音体群３０Ｂ、発音体群３０Ａとなるにつれて発音体３０の長手方向長さが長くなっている。また、発音体群３０Ｃに属する発音体は幅が広く、発音体群３０Ａに属する発音体３０は発音体群３０Ｃに属する発音体と比較してその幅が狭くなっている。なお、同じ音域部に属する発音体はどの発音体３０も幅は同じとなっている。
【００２３】
図８（ａ）は発音体群３０Ｃに属する発音体３０（低音域に属する発音体）の平面図、図８（ｂ）は図８（ａ）に示した発音体３０の右側面図である。発音体３０の下面（ハンマフェルト２４により打撃される面）は平坦であり、発音体３０の前端部３２および後端部３３は腹部３１（長手方向中央部であって振動の際に腹に相当する部分）より厚くなっている。また、腹部３１と前端部３２との間は腹部３１よりも薄い第１肉薄部３４となっており、腹部３１と後端部３３との間は腹部３１よりも薄い第２肉薄部３５となっている。発音体３０においては、腹部３１の中央が振動時の腹の中心に相当する位置（以下、「腹中心３１Ｐ」と称する）となる。
【００２４】
なお、図９（ｃ）は発音体群３０Ａに属する発音体３０、図９（ｄ）は発音体群３０Ｂに属する発音体３０、図９（ｅ）は発音体群３０Ｃに属する発音体３０の側面図であるが、図に示したように発音体群３０Ａおよび発音体群３０Ｂに属する発音体３０は、前端部３２と後端部３３に相当する部分の厚さが、発音体群３０Ｃに属する発音体３０と比較して薄くなっている。また、発音体群３０Ａに属する発音体３０には、第１肉薄部３４と第２肉薄部３５に相当する部分が設けられていない。
【００２５】
また、図に示したように発音体３０においては、長手方向中央部よりも端部よりであって、振動における節となる位置に発音体３０を貫通する支持穴３６，３７が形成されている。なお、本実施形態においては、支持穴３６，３７の直径は４ｍｍとなっている。発音体３０は、支持穴３６，３７を支持して振動させたときに効率よく発音する。なお、図に示したように支持穴３６，３７はいずれも発音体３０の幅方向に平行ではなく、幅方向に対して斜めに貫通している。
【００２６】
（共鳴箱５０の構成）
次に共鳴箱５０の構成について説明する。共鳴箱５０は下面が開口した箱であり、前面となる前側共通壁５１、後面となる後側共通壁５２、左側面となる側壁５９Ａ、右側面となる側壁５９Ｂ、上面を塞ぐ蓋部材５６、蓋部材５７、蓋部材５８を有し、図５に示したように、低音域部５０Ａ、中音域部５０Ｂ、高音域部５０Ｃに大別される。低音域部５０Ａは、低音域部５０Ａの下方に配置される発音体３０に対応して発音体３０と同数のヘルムホルツ型の共鳴室ＲＭ１を有している。また、中音域部５０Ｂは、中音域部５０Ｂの下方に配置される発音体３０に対応して発音体３０と同数の閉管型の共鳴室ＲＭ２を有している。高音域部５０Ｃは一括式共鳴箱となっており、高音域部５０Ｃの下方に配置される複数の発音体３０に共通となる一つの共鳴室ＲＭ３を有している。
【００２７】
前側共通壁５１と後側共通壁５２は、板状の部材であり、図５に示したように、低音域部５０Ａに対応する部分と、高音域部５０Ｃに対応する部分は矩形、中音域部５０Ｂに対応する部分は台形形状となっている。そして、各共通壁の低音域部５０Ａの上下方向の高さは高音域部５０Ｃの高さより高くなっており、また、中音域部５０Ｂに対応する部分においては、低音域部５０Ａ側の上下方向の高さが高音域部５０Ｃ側の高さより高くなっている。また、向かい合わされて配置されている前側共通壁５１と後側共通壁５２との間隔は、図６に示したように右側（高音域の発音体３０が配置される側）が狭く、左側（低音域の発音体３０が配置される側）にいくにつれて間隔が広くなっている。
【００２８】
また、前側共通壁５１と後側共通壁５２との間は、低音域部５０Ａと中音域部５０Ｂにおいては、図６に示したように複数の仕切板５３で仕切られている。仕切板５３は平板であり、仕切板５３同士は前後方向で平行となるように、前側共通壁５１と後側共通壁５２との間に垂直に固着されている。なお、隣接する仕切板５３同士の間隔は、下方に配置される発音体３０の２つ分の幅よりやや広くなっている。低音域部５０Ａにおいては、発音体３０の幅が中音域部５０Ｂの下方にある発音体３０とは異なることに起因して、仕切板５３同士の間隔が中音域部５０Ｂより広くなっている。
【００２９】
高音域部５０Ｃにおいては、中音域部５０Ｂと高音域部５０Ｃとを仕切る仕切板５３、前側共通壁５１、後側共通壁５２、高音域部５０Ｃの上部を塞ぐ蓋部材５８により、共鳴室ＲＭ３が形成されている。蓋部材５８は、図４に示したように台形形状の板状の部材である。蓋部材５８は、図５に示したように、中音域部５０Ｂ側から右下方向へ傾斜して前側共通壁５１、後側共通壁５２、および側壁５９Ｂに固着されている。
【００３０】
中音域部５０Ｂにおいては、隣接する仕切板５３同士の間の空間が斜め板５５によって仕切られている。斜め板５５は平板であり、上方から見たときに仕切板５３に対しては斜めになるように、仕切板５３の前後方向中央部に垂直に固着され、仕切板５３同士の間の空間に２つの共鳴室ＲＭ２を形成している。そして、中音域部５０Ｂにおいては、仕切板５３同士の間の空間毎に、各空間の上部を塞ぐ蓋部材５７が、仕切板５３の上部、前側共通壁５１、後側共通壁５２に固着されて空間上部を塞いでいる。
【００３１】
図１０は、図６に示した中音域部５０Ｂの部分拡大図である。図１０においては、仕切板５３の間に形成されている２つの共鳴室ＲＭ２を区別するために、一方の共鳴室ＲＭ２に（１）という符号を付し、もう一方の共鳴室ＲＭ２に（２）という符号を付している。共鳴室ＲＭ２（１）と共鳴室ＲＭ２（２）のうち、前方側が共鳴室ＲＭ２（１）、後方側が共鳴室ＲＭ２（２）である。また、発音体３０においても、共鳴室ＲＭ２（１）の下方にある発音体３０に（１）、共鳴室ＲＭ２（２）の下方にある発音体３０に（２）という符号を付している。また、仕切板５３においては、共鳴室ＲＭ２を形成する２つの仕切板５３を区別するために、共鳴室ＲＭ２を形成する一方の仕切板５３に（１）、共鳴室ＲＭ２を形成するもう一方の仕切板５３に（２）という符号を付している。
【００３２】
図１０においては、発音体３０を打撃したときのハンマフェルト２４の位置が点線で示されている。ハンマフェルト２４が発音体３０を打撃したとき、ハンマフェルト２４の当接面における前後及び左右方向の中心位置は、対応する発音体３０の腹中心３１Ｐの位置と一致する。また、全ての発音体３０の腹中心３１Ｐは、全ての共鳴室ＲＭ１〜ＲＭ３の領域を通る仮想の直線Ｌ１上に位置し、全ての発音体３０の腹中心３１Ｐは前後方向の位置が同じとなっている。そして、発音体３０（１）の腹中心３１Ｐは、共鳴室ＲＭ２（１）の下方に位置し、発音体３０（２）の腹中心３１Ｐは、共鳴室ＲＭ２（２）の下方に位置する。このように、一の発音体３０の腹中心３１Ｐは、対応する一の共鳴室の開口部の下方に位置するため、ハンマフェルト２４で打撃された発音体３０（１）の音は、対応する共鳴室ＲＭ２（１）で共鳴し、発音体３０（２）の音は、対応する共鳴室ＲＭ２（２）で共鳴する。
【００３３】
本実施形態においては、一つの発音体３０に対応する共鳴室の幅は、ほぼ発音体３０の２つ分の幅となっており、発音体３０に対して広い幅が確保されているため良好な共鳴が実現される。また、このように、一つの発音体３０に対しては広い幅を確保しているが、２つの共鳴室を確保するためには２つ分の発音体３０の幅しか必要としていないため、共鳴箱５０の左右方向の幅を抑えることができ、発音体３０を一段に並べることができる。
【００３４】
また、低音域部５０Ａにおいても、隣接する仕切板５３同士の間の空間が斜め板５４によって仕切られており、中音域部５０Ｂと同様の構成となっている。斜め板５４も平板であり、上方から見たときに仕切板５３に対しては斜めになるように、仕切板５３の前後方向中央部に垂直に固着され、仕切板５３同士の間の空間に２つの共鳴室ＲＭ１を形成している。なお、低音域部５０Ａにおいては、仕切板５３同士の間隔が中音域部５０Ｂと異なることに起因して、仕切板５３に対する斜め板５４の角度が、仕切板５３に対する斜め板５５の角度と異なっている。また、低音域部５０Ａは、共鳴室ＲＭ１の下部において、前側共通壁５１側と、後側共通壁５２側とにポート形成部材６０を有している。ポート形成部材６０は平板であり、前側に配置されるポート形成部材６０は、前側共通壁５１と共鳴室ＲＭ１の両脇の仕切板５３とに水平に固着され、また、後側に配置されるポート形成部材６０は、後側共通壁５２と共鳴室ＲＭ１の両脇の仕切板５３とに水平に固着されている。
【００３５】
各共鳴室ＲＭ１においては、両脇の仕切板５３、斜め板５４、およびポート形成部材６０によって、開口部にポートが形成される。一般に、ヘルムホルツ型の共鳴箱においては、箱の容量だけでなく、ポートの長さ及び断面積が共鳴する音高に影響する。例えば、同じ容量の共鳴箱であっても、ポートの長さを長くするかあるいは断面積を狭くすると、共鳴する音高が低くなる。本実施形態においても、共鳴室ＲＭ１に対応する発音体３０の音が良好に共鳴するように、ポート形成部材６０の形状を調整して各共鳴室ＲＭ１のポートの長さ及び断面積を設定している。
【００３６】
（発音体３０の配置方法）
次に、発音体３０を共鳴箱５０の下方に配置する構成について説明する。
図１１は支持紐４４の外観図である。支持紐４４は、芯糸４４Ａと、芯糸４４Ａの回りに巻き付けられている紐４４Ｂで構成されている。芯糸４４Ａはナイロン製であり、糸状の部材である。紐４４Ｂは、表面がスエード調で鹿革と同程度の柔らかさを有する人工皮革であり、極細の繊維が絡合した厚さ約２ｍｍの不織布で構成されている。支持紐４４の断面は、略円形であり、その直径は本実施形態においては３．５ｍｍとなっている。紐４４Ｂは芯糸４４Ａの回りに隙間無く巻き付けられて芯糸４４Ａを覆っている。
【００３７】
複数の発音体３０を共鳴箱５０の下方に配置する際には、まず、複数の発音体３０を支持紐４４で一つにまとめる。具体的には、まず発音体３０を左右方向に音高順に並べる。ここでは、左端に最も低い音を発する発音体３０を並べ、右端に最も高い音を発する発音体３０を並べる。
次に、左端に並べられた発音体３０の左方から支持紐４４を前側の支持穴３６に通す。一つの発音体３０の支持穴３６を通し終えたら、右隣に並べられている発音体３０の支持穴３６に支持紐４４を通す。このように、音高順に並べられた発音体３０の各支持穴３６に支持紐４４を順次通していく。
並べられた発音体３０の全ての支持穴３６に支持紐４４を通し終えたら、次に、右端に並べられた発音体３０の右方から支持紐４４を後側の支持穴３７に通す。一つの発音体３０の支持穴３７を通し終えたら、左隣に並べられている発音体３０の支持穴３７に支持紐４４を通、音高順に並べられた発音体３０の各支持穴３７に支持紐４４を順次通していく。
並べられた発音体３０の全ての支持穴３６と支持穴３７に支持紐４４を通し終えたら、支持紐４４の両端を結ぶ。支持紐４４の両端を結ぶことにより、複数の発音体３０は、音高順にまとめられる。
【００３８】
（留め具４０）
次に、共鳴箱５０の下方で支持紐４４を支え持つ複数の留め具４０を共鳴箱５０に装着する。図９（ａ）は留め具４０の側面図であり、図９（ｂ）は留め具４０の部分拡大図である。留め具４０は金属で形成されており、支持紐４４を支え持つひも受け部４３と、支持紐４４をひも受け部４３に挿入する際に支持紐４４が通る溝４２と、共鳴箱５０に打ち込まれるピン部４１を有している。ひも受け部４３の形状は、支持紐４４の直径とほぼ同じ内径を有する円形となっている。また溝４２の幅は、支持紐４４の直径よりやや小さくなっている。このため、ひも受け部４３に通された支持紐４４は、留め具４０から容易に脱落することがない。
【００３９】
留め具４０のピン部４１は、共鳴箱５０の前側共通壁５１および後側共通壁５２に打ち込まれる。なお、各留め具４０は、前側共通壁５１においては、溝４２の開口部が前方を向くように打ち込まれ、後側共通壁５２においては、溝４２の開口部が後方を向くように打ち込まれる。各ピン部４１が打ち込まれる位置の間隔は発音体３０の幅より広くなっており、例えば、共鳴箱５０の中音域部５０Ｂにおいては、図１０に示したように、仕切板５３の延長線上と、斜め板５５と仮想の直線Ｌ１との交点において直線Ｌ１と前後方向に直角に交わる垂線の延長線上に打ち込まれる。また、共鳴箱５０の低音域部５０Ａにおいても、ピン部４１が打ち込まれる位置は中音域部５０Ｂと同様の位置となっている。また、高音域部５０Ｃにおいては、ピン部４１は、発音体３０の幅よりやや広い間隔を空けて各共通壁に打ち込まれる。
【００４０】
複数の留め具４０の打ち込みが終了すると、共鳴箱５０の下面を上に向け、支持紐４４で一つにまとめられた複数の発音体３０を共鳴箱５０の開口部上に載せる。そして、隣り合う発音体３０の間を広げ、発音体３０同士の間に見える支持紐４４を、溝４２に通してひも受け部４３に掛ける。この際、隣り合う留め具４０の間には一つの発音体３０が位置するように支持紐４４をひも受け部４３に掛けていく。そして、支持紐４４を留め具４０に掛け終えた後、共鳴箱５０の開口部を下方に向ける。
【００４１】
図１２は、図１０のＢ−Ｂ線断面図である。共鳴箱５０の開口部を下方に向けると、図１２に示したように支持紐４４がひも受け部４３で共鳴箱５０の下方に支持される。そして、支持紐４４は各発音体３０の支持穴３６，３７に通されているので、各発音体３０は支持紐４４により吊り下げられた状態で支持され、共鳴箱５０の下方において、開口部に近接して振動可能な状態となる。
【００４２】
そして、支持紐４４で吊り下げられた発音体３０は、ハンマフェルト２４によって打撃されると振動する。支持紐４４が例えば単一のナイロン糸である場合、発音体３０を振動させると振動の減衰が早く、またノイズが発生して良好な音が得られない。
しかし、本実施形態においては、表面がスエード調の支持紐４４で発音体３０が支持されている。この支持紐４４によれば、発音体３０が振動したときにノイズが発生せず、また発音体３０の振動が妨げられないため発音体３０を打撃したときに良好な音を得ることができる。
【００４３】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００４４】
上述した実施形態においては、支持穴３６，３７の直径が４ｍｍであり、支持紐４４の直径が３．５ｍｍとなっているが、各直径は、これらの数値に限定されるものではない。支持穴３６，３７の直径は４ｍｍ以外であってもよい。なお、支持穴３６，３７の直径を４ｍｍ以外とした場合、支持紐４４の直径は、発音体３０の振動を妨げない直径を実験で求めるようにしてもよい。
【００４５】
上述した実施形態においては、支持紐４４は、芯糸４４Ａの紐４４が螺旋状に巻き付けられているが、支持紐４４は、この構成に限定されるものではない。
例えば、図１１（ｂ）に示したように２本の紐４４Ｂを芯糸４４Ａに螺旋状に隙間無く巻き付けるようにしてもよい。なお、螺旋状に巻き付ける場合、紐４４Ｂの数は３本以上であってもよい。また、図１１（ｃ）に示したように複数の紐４４Ｂを編んで芯糸４４Ａを隙間無く覆うようにしてもよい。
また、芯糸４４は、繊維が絡合した不織布で構成された中空円筒状の紐４４Ｂの中空部に芯糸４４Ａを有する構成であってもよい。
【００４６】
上述した実施形態においては芯糸４４Ａはナイロン製であるが、芯糸４４Ａの材質はナイロンに限定されるものではない。複数の発音体３０を支持できる強度、繰り返しの振動に耐えられる強度を有する材質であれば、他の高分子化合物や金属、天然素材であってもよい。また、芯糸４４Ａは、１本ではなく２本以上であってもよい。
【００４７】
上述した実施形態においては、支持紐４４の断面形状は角を有しない形状であれば、円形外の他の形状であってもよい。
【００４８】
上述した実施形態においては、２本の支持紐４４を用意し、１本の紐を支持穴３６に通し、もう１本の支持紐４４を支持穴３７に通すようにしてもよい。そして、左端にある支持紐４４の端部同士を結ぶとともに、右端にある支持紐４４の端部同士を結んで複数の発音体３０をひとまとめにするようにしてもよい。
【００４９】
例えば、グロッケンシュピール、鉄琴、木琴など、打撃により固有の音高の音を発音する発音体を備えた体鳴楽器においても、上述した支持紐４４で発音体３０を支持する構成を採用してもよい。
【図面の簡単な説明】
【００５０】
【図１】本発明の一実施形態に係る鍵盤式打楽器の左側面図、正面図、右側面図である。
【図２】同鍵盤式打楽器１０の内部の上部の概略図である。
【図３】同鍵盤式打楽器１０の内部の上部を前方から見た図である。
【図４】同鍵盤式打楽器１０の内部の平面図である。
【図５】音源ユニットＵＮＴの正面図である。
【図６】図５のＡ−Ａ線断面図である。
【図７】音源ユニットＵＮＴの底面図である。
【図８】発音体３０の正面図および側面図である。
【図９】留め具４０の側面図および部分拡大図、高音域部に属する発音体３０の側面図、中音域部に属する発音体３０の側面図、および低音域部に属する発音体３０の側面図である。
【図１０】図６に示した中音域部の部分拡大図である。
【図１１】支持紐４４の外観図である。
【図１２】図１０のＢ−Ｂ線断面図である。
【符号の説明】
【００５１】
ＫＢ・・・鍵盤、ＵＮＴ・・・音源ユニット、Ｄ・・・ダンパ機構、１０・・・鍵盤式打楽器、１２・・・ダンパペダル、１４・・・棚板、１４ａ・・・放音用穴、１５・・・筬、１６・・・筬前、２０・・・アクション機構、２３・・・ハンマシャンク、２４・・・ハンマフェルト、２７・・・白鍵、２８・・・黒鍵、３０・・・発音体、４４・・・支持紐、４４Ａ・・・芯糸、４４Ｂ・・・紐、５０・・・共鳴箱、６０・・・ポート形成部材、６２，６３・・・バランスピン、６４・・・回動部材、６５・・・突き上げ部材
【図１】
2008170698.tif 000003
【図２】
2008170698.tif 000004
【図３】
2008170698.tif 000005
【図４】
2008170698.tif 000006
【図５】
2008170698.tif 000007
【図６】
2008170698.tif 000008
【図７】
2008170698.tif 000009
【図８】
2008170698.tif 000010
【図９】
2008170698.tif 000011
【図１０】
2008170698.tif 000012
【図１１】
2008170698.tif 000013
【図１２】
2008170698.tif 000014